(57)【要約】  本発明は、溝を有する第１の中空留め要素を備えている宝飾品の留め具に関し、溝は、挿入開口を有し、第１の留め要素の周囲に沿って少なくとも部分的に延びている。溝は、第２の留め要素の固定部材を受け入れるように構成されており、固定部材は、挿入開口を通じて第１の留め要素の溝の中に挿入可能であり、固定部材の断面は、溝の幅よりも大きい。第１の留め要素は、第１の中空留め要素を終了させる壁を、両側の２つの端部部分のそれぞれに備えており、溝は端部部分のそれぞれの壁まで延びており、そこで終了している。【選択図】  図１【特許請求の範囲】
【請求項１】
溝を有する中空の第１の留め要素を備え、前記溝が挿入開口を有すると共に前記第１の留め要素の周囲に沿って少なくとも部分的に延びており、
前記溝が、第２の留め要素の固定部材を受け入れるように構成されており、前記固定部材が、前記挿入開口を通じて前記第１の留め要素の前記溝の中に挿入可能であり、前記固定部材の断面が、前記溝の幅よりも大きく、
前記第１の留め要素が、両側の２つの端部部分のそれぞれに壁を備えており、前記壁が、中空の前記第１の留め要素を終了させており、
前記溝が、前記端部部分のそれぞれの前記壁まで延びており、そこで終了している、
宝飾品の留め具。
【請求項２】
前記第１の留め要素が、その縦軸に対して本質的に対称に構成されている、請求項１に記載の留め具。
【請求項３】
前記第１の留め要素が、本質的に、中空の円筒状、球状、複数の球状、螺旋状、複数の螺旋状、立方体状、複数の立方体状、又は、湾曲した若しくは角度の付いた管状、のうちの１つ以上として構成されている、請求項１又は２に記載の留め具。
【請求項４】
前記壁がアーチ状又は円錐状に構成されており、前記溝がアーチ又は円錐のほぼ中央において終了している、請求項１〜３のいずれか１項に記載の留め具。
【請求項５】
前記挿入開口が、前記端部部分からある距離に、好ましくは、前記留め要素の軸方向長さの中央領域に、特に、ほぼ真ん中に設けられている、請求項１〜４のいずれか１項に記載の留め具。
【請求項６】
前記溝が、螺旋状に構成されており、前記第１の留め要素の長さに沿って、約１／４〜５巻き、好ましくは約１／２〜３巻きしている、請求項１〜５のいずれか１項に記載の留め具。
【請求項７】
いくつかの第１の留め要素が、軸方向において本質的に平行に配置されており、横方向において好ましくは互いに結合されている、請求項１〜６のいずれか１項に記載の留め具。
【請求項８】
最も外側の２つの前記第１の留め要素のうちの一方が、前記挿入開口を起点として第１の軸方向端部部分に向かう方向における第１のねじれ方向を示している螺旋溝と、反対側である第２の軸方向端部部分に向かう方向における逆の第２のねじれ方向を示している溝と、を備えている、請求項７に記載の留め具。
【請求項９】
第２の留め要素の固定部材を受け入れる溝及び挿入開口を備えている、少なくとも１つの更なる中空の第１の留め要素が、前記最も外側の２つの第１の留め要素の間に構成されている、請求項７又は８に記載の留め具。
【請求項１０】
前記更なる中空の第１の留め要素の前記溝が、本質的に前記軸方向に延びている、請求項９に記載の留め具。
【請求項１１】
前記更なる中空の第１の留め要素が、自身を前記軸方向において終了させる壁を両方の端部部分に備えており、前記溝が前記壁まで延びておりそこで終了している、請求項９又は１０に記載の留め具。
【請求項１２】
前記壁がアーチ状又は円錐状に構成されており、前記溝が好ましくはアーチ又は円錐のほぼ中央において終了している、請求項１１に記載の留め具。
【請求項１３】
前記第１の留め要素が、両側の端部部分においていくつかの第２の留め要素を受け入れるように構成されている、請求項１〜１２のいずれか１項に記載の留め具。
【請求項１４】
前記最も外側の第１の留め要素の前記螺旋溝が、前記第１の留め要素のそれぞれの長さに沿って、ねじれ方向で約１／４〜１巻き、好ましくは約１／２巻きしている、請求項８〜１３のいずれか１項に記載の留め具。
【請求項１５】
前記第１の留め要素若しくは前記第２の留め要素、又はその両方が、宝飾品の一部に着脱できるように又は着脱できないように結合されている、請求項１〜１４のいずれか１項に記載の留め具。
【請求項１６】
可動である被案内部材が、前記第１の中空留め要素の内側に設けられている、請求項１〜１５のいずれか１項に記載の留め具。
【請求項１７】
前記第１の留め要素が、曲がった形状又は角度の付いた形状に構成されている、請求項１〜１６のいずれか１項に記載の留め具。
【請求項１８】
前記挿入開口が、曲がり部若しくは角度部、又はその両方の内側、特に、前記曲がり部若しくは前記角度部、又はその両方の頂点の領域に設けられている、請求項１７に記載の留め具。
【請求項１９】
前記第１の留め要素の内部が、一方の端部部分又は２つの端部部分のそれぞれに、前記第２の留め要素を前記第１の留め要素に対して固定するために前記第２の留め要素の前記固定部材を挿入することのできる迷路手段を備えている、請求項１〜１８のいずれか１項に記載の留め具。
【請求項２０】
前記迷路手段が開口を有する中空球を備えており、前記中空球が、中空の前記第１留め要素の内壁上において前記溝の領域に配置されており、前記開口が前記溝から離れて面していると共に、前記溝が中空の前記第１の留め要素の壁と前記中空球の壁の両方を貫いて延びている、請求項１９に記載の留め具。
【請求項２１】
本質的に互いに対称的に構成されている２つの留め要素と、ロック要素とを備え、
前記２つの留め要素のそれぞれが、宝飾品の各一部の少なくとも１つの固定部材を挿入するためであると共に、前記ロック要素のロック部分を受け入れるための円筒部分と、前記宝飾品の一部の前記少なくとも１つの固定部材を受け入れるために、前記円筒部分に平行に設けられている受入れ部分と、を備えている、
宝飾品の留め具。
【請求項２２】
前記２つの留め要素の前記円筒部分のそれぞれに縦溝が設けられており、前記縦溝が、第１の端部を起点として、円周方向に延びている溝に通じており、最終的に、前記第１の端部に向かう方向に延びている更なる縦溝に通じている、請求項２１に記載の留め具。
【請求項２３】
前記ロック要素が、本質的にＨ字形状に構成されており、「Ｈ」の縦部分が、前記留め要素の前記溝のそれぞれの中に挿入可能である、請求項２２に記載の留め具。
【請求項２４】
前記２つの円筒部分のそれぞれの前記第１の端部において、前記縦溝の軸方向開口に、突起が設けられており、前記Ｈ字形状のロック要素の前記２つの縦部分のそれぞれが、前記突起を中に挿入することのできる溝を備えており、前記Ｈ字形状のロック要素の前記２つの縦部分の長さと、前記２つの突起の長さが、前記ロック要素の前記溝が、前記留め具のロック状態において前記突起と係合しないような寸法を有し、これによって前記留め具が誤ってはずれることが防止される、請求項２２又は２３に記載の留め具。
【請求項２５】
前記２つの留め要素の前記受入れ部分のそれぞれが溝を備えており、前記溝の断面が、前記宝飾品の前記固定部材の幅よりも小さい、請求項２１〜２４のいずれか１項に記載の留め具。
【請求項２６】
前記円筒部分の中の前記ロック要素が、ばね力によってロック位置に付勢されている、請求項２１〜２５のいずれか１項に記載の留め具。
【請求項２７】
請求項１〜２６のいずれか１項に記載の留め具によって留めることのできる、少なくとも１つの固定部材を有する宝飾品。
【請求項２８】
請求項１〜２６のいずれか１項に記載の１つ又は複数の留め具を有する宝飾品。
【発明の詳細な説明】
【技術分野】
【０００１】
本発明は、宝飾品、特に、チェーン（例えば、ネックレスなど）の閉じ装置又は留め具に関する。
【背景技術】
【０００２】
従来技術においては、宝飾品の留め具の様々な実施形態が公知である。特許文献１には、従来のばねリングが設けられている宝飾品チェーンが開示されており、このチェーンにおいては、ばねリングを宝飾品チェーンの端部に結合するための環状中間部材が設けられており、この中間部材は、溶接線によって閉じることのできる元の開口を有し、平らに構成されており、ばねリングに溶接されている。
【０００３】
特許文献２は、宝飾品の留め具であって、一方の部分が保持リングから成り、他方の部分が、間に空間が存在するように互いに結合されているプレートから成り、プレートによって画成されている空間内に保持リングの係合部材としてのピンが配置されている宝飾品の留め具に関する。
【０００４】
更なる宝飾品の留め具は、例えば、特許文献３、特許文献４、特許文献５、特許文献６、特許文献７、特許文献８、特許文献９、特許文献１０、特許文献１１、特許文献１２、特許文献１３、特許文献１４、特許文献１５、及び特許文献１６に開示されている。
【０００５】
特許文献１７には、差し込み方式による、宝飾品チェーンのための変化式の留め具（ｃｈａｎｇｉｎｇ  ｃｌａｓｐ）が開示されており、この留め具は、縦軸に垂直に配置されているガイドピンと溝とを有する基部を備えている、管状である受入れ側の第１の部分と、第１の部分に挿入される第２の部分であり、Ｚ字形状のガイド溝及びスナップリングを有するシャフトを備えている、管状である第２の部分と、を備えている。
【０００６】
特許文献１８には、開放端部を有する管状又はほぼ円筒状の要素から作製されている留め具が開示されている。開放端部を有するように構成されている管状要素には、両端部から内側方向に渦巻状又は螺旋状に延びている２本のスロットが設けられている。これらのスロットは、端部のそれぞれにおいて挿入開口を形成している。これらの挿入開口は、２本の閉鎖アームによってロックすることができる。閉鎖アームは、挿入開口に対して直径方向に対向するように旋回自在に取り付けられており、挿入開口においてロックヘッドによってロックすることができる。
【０００７】
特許文献１９には、宝飾品の２つの端部を結合する留め具が開示されており、この留め具は、宝飾品の第１の端部を固定するためのアイレット（ｅｙｅｌｅｔ）が一方の端部にしっかりと取り付けられている円筒状の本体を備えている。円筒状の本体は、直線状又は曲線状に延びているスロットを備えており、このスロットは、アイレットと対抗する端部において、本体の前壁に達している。このスロットには更なるアイレットのスタッド（ｓｔｕｄ）を挿入することができ、宝飾品の第２の端部が、この更なるアイレットに固定される。
【先行技術文献】
【特許文献】
【０００８】
【特許文献１】独国実用新案第２９８０７１６３号明細書
【特許文献２】オーストリア特許第３７９３０１号明細書
【特許文献３】独国実用新案第８２２３３５７号明細書
【特許文献４】独国特許公開第１８６１７５５号明細書
【特許文献５】独国特許公開第３０３６０５９号明細書
【特許文献６】独国特許公開第４４２３３８８号明細書
【特許文献７】独国実用新案第９００３３２０号明細書
【特許文献８】独国特許第３８９６９号明細書
【特許文献９】独国特許第２３３２５３１号明細書
【特許文献１０】独国実用新案第７０３７８０５号明細書
【特許文献１１】欧州特許公開第０３８２０６８号明細書
【特許文献１２】欧州特許公開第０３８３２０３号明細書
【特許文献１３】欧州特許公開第０４９８３００号明細書
【特許文献１４】米国特許第２，６４４，９９２号明細書
【特許文献１５】米国特許第２，５３９，７７７号明細書
【特許文献１６】国際公開第９８／３３４１１号パンフレット
【特許文献１７】独国実用新案第２０１１６６４６号明細書
【特許文献１８】米国特許第３，２２４，０６０号明細書
【特許文献１９】米国特許第５，６５３，００９号明細書
【発明の概要】
【発明が解決しようとする課題】
【０００９】
本発明は、宝飾品、特にチェーンを高い信頼性にて留めることができ、それと同時に、審美的に魅力的である、宝飾品のための改良された留め具を提供するという課題に基づいている。本発明の基礎をなす更なる課題は、複数列のチェーンを高い信頼性にて留めることができ、且つ審美的に魅力的である、宝飾品の留め具を提供することである。これらの課題は、請求項に定義されている留め具によって解決される。
【課題を解決するための手段】
【００１０】
一実施形態においては、本発明による宝飾品の留め具は、第１の中空留め要素を備えており、この第１の中空留め要素は、その壁又は被覆層にスロット又は溝を備えており、これらスロット又は溝は、挿入開口を有し、第１の留め要素の周囲に沿って少なくとも部分的に延びている。溝は、第２の留め要素の固定部材を受け入れるように構成されており、固定部材は、挿入開口を通じて第１の留め要素の溝の中に挿入可能であり、固定部材の断面は、溝の幅よりも大きい。これによって、固定部材は、挿入開口に挿入されて溝に沿って移動された後、中空留め要素内に固定される。更には、第１の留め要素は、中空の第１留め要素を軸方向において、すなわち、結合される宝飾品の端部の間の方向において終了させる壁を、両側の２つの端部部分のそれぞれに備えており、溝は、端部部分の各壁まで延びており、そこで終了している。この壁は、アーチ状又は円錐状に構成されていることが好ましく、溝は、アーチ部又は円錐部のほぼ中央において終了していることが好ましい。
【００１１】
本発明による留め具は、任意のタイプのチェーンにおける使用に特に適している。中空の第１留め要素は、第２の留め要素の固定部材を中に導入することのできる基本本体を本質的に形成している。一実施形態によると、第１の留め要素が、宝飾品（例えば、チェーン）の一方の端部に固定されており、第２の留め要素が、宝飾品の反対側の端部に固定されている。しかしながら、第１の留め要素を個別の部材として構成し、宝飾品の２つの端部のそれぞれに、又は宝飾品に沿った任意の２つの部分のそれぞれに、第２の留め要素を設けることも可能であり、この場合、宝飾品を留めるためには、第２の留め要素の両方を挿入開口を通じて第１の留め要素の溝の中に導入又は挿入し、溝の中を反対方向に移動させる。第１の留め要素は、自身の両側の２つの端部部分においていくつかの第２の留め要素を受け入れるように構成することができる。
【００１２】
第１の留め要素は、その縦軸、すなわち、留め具が宝飾品の２つの端部の間に延びている方向に対して、本質的に対称に構成されていることが好ましい。第１の留め要素は、例えば、本質的に、中空の円筒状、球状、複数の球状、螺旋状、複数の螺旋状、立方体状、複数の立方体状、又は、湾曲した若しくは角度の付いた管状、のうちの１つ以上として構成することができる。
【００１３】
溝の拡張部を形成している挿入開口は、第１の留め要素の２つの端部部分からある距離に、好ましくは、留め具の軸方向長さの中央領域に、特に、ほぼ真ん中に、設けられている。溝は、例えば、螺旋状に構成することができ、第１の留め要素の長さに沿って、好ましくは約１／４〜５巻き、好ましくは約１／２〜３巻き、特に好ましくは約１〜２巻きしている。螺旋状の溝又は巻きの傾斜角度は、一般的には、第１の留め要素の直径、壁厚、長さのうちの１つ以上に依存し、好ましくは１５゜〜７５゜の範囲内、より好ましくは３０゜〜６０゜の範囲内である。
【００１４】
有利な実施形態によると、可動である被案内部材（例えば、ピンの形式）が、第１の中空留め要素の内側に設けられている。この部材は、その質量、厳密には質量慣性によって、本発明による留め具の安全性要素としての役割を果たす。なぜならば、第２の留め要素の固定部材が溝に沿って挿入開口に向かう方向に動くことを妨げるためである。
【００１５】
このことの代替方法又は補足方法として、第１の留め要素における第２の留め要素の固定部材の保持性を向上させる目的で、第１の留め要素を曲がった形状（例えば、Ｕ字形状）又は角度の付いた形状（例えば、Ｖ字形状）に構成することが有利であり、この場合、挿入開口は、曲がり部又は角度部の内側、特に、曲がり部又は角度部の頂点の領域に設けられていることが好ましい。この形状によって、第２の留め要素の固定部材は、挿入開口から離れた状態に意図的に維持される。
【００１６】
このことの代替方法又は補足方法として、第２の留め要素を第１の留め要素に対して固定するために第２の留め要素の固定部材を通さなければならない迷路手段（ｌａｂｙｒｉｎｔｈ  ｍｅａｎｓ）を、第１の留め要素の内部において一方の端部部分又は２つの端部部分のそれぞれに設けることができる。この迷路手段は、例えば、開口を有する中空球を備えており、この中空球は、中空の第１の留め要素の内壁上において溝の領域に配置されている。開口は溝から離れて面しており、溝は中空の第１の留め部材の壁と中空球の壁の両方を貫いて延びている。
【００１７】
更に、好ましくは本質的に互いに平行であり、且つ横方向に互いに結合されているいくつかの第１の留め要素、を設けることが可能である。最も外側の２つの第１の留め要素のうちの少なくとも一方は、例えば、挿入開口を起点として第１の軸方向端部部分に向かう方向における第１のねじれ方向を示している螺旋溝と、反対側である第２の軸方向端部部分に向かう方向における逆の第２のねじれ方向を示している螺旋溝とを備えていることができる。好ましくは、最も外側の第１の留め要素の両方が、挿入開口を起点として第１の軸方向端部部分に向かう方向に延びており、且つ第１のねじれ方向を示している螺旋溝と、挿入開口を起点として反対側である第２の軸方向端部部分に向かう方向に延びており、且つ逆の第２のねじれ方向を示している螺旋溝と、を備えていることが好ましい。
【００１８】
最も外側の２つの第１の留め要素の間には、第２の留め要素の固定部材を受け入れる溝及び挿入開口を備えている、少なくとも１つの更なる第１の中空留め要素、を設けることが好ましい。更なる中空の第１留め要素それぞれの溝は、本質的に軸方向に構成されていることが好ましい。更なる中空の第１留め要素は、自身を軸方向において終了させる、好ましくは壁を両方の端部部分に備えており、溝は、壁まで延びておりそこで終了している。この更なる中空留め要素は、両側の２つの端部部分のそれぞれに、このような壁を備えていることが好ましい。この壁は、アーチ状又は円錐状に構成されていることが好ましく、溝は、アーチ又は円錐のほぼ中央において終了していることが好ましい。
【００１９】
更なる中空の第１留め要素の挿入開口は、自身の２つの端部部分からある距離において、好ましくは、留め要素の軸方向長さの中央領域に、特に、ほぼ真ん中に、設けられている。最も外側の（１つ以上の）第１の留め要素の螺旋溝は、第１の留め要素のそれぞれの長さに沿って、ねじれ方向で約１／４〜１巻き、好ましくは約１／２巻きしている。
【００２０】
更なる実施形態によると、本発明は、第１の留め要素と、本質的に第１の留め要素に対称的に構成されている第２の留め要素と、ロック要素とを備えている、宝飾品の留め具に関する。第１の留め要素及び第２の留め要素のそれぞれは、宝飾品それぞれの１つの固定部材を導入するためと、ロック要素の各ロック部分を受け入れるための円筒部分と、宝飾品の各固定部材を受け入れるための、円筒部分に平行に設けられている受入れ部分と、を備えている。
【００２１】
第１の留め要素及び第２の留め要素のそれぞれは、縦溝又はスロットを備えており、この縦溝又は縦スロットは、第１の端部を起点として、円周方向に延びている溝又はスロットに通じており、最終的に、第１の端部に向かう方向に延びている更なる縦溝又はスロットに通じている。しかしながら、更なる縦溝は、留め要素の第１の端部からある距離において終了している。ロック要素は、本質的にＨ字形状に構成されていることが好ましく、「Ｈ」の縦部分又はアームを、それぞれ、第１の留め要素及び第２の留め要素の各縦溝の中に導入することができる。
【００２２】
好ましくは、２つの円筒部分の第１の端部において、縦溝のオリフィス領域のそれぞれに、突起が設けられており、Ｈ字形状のロック要素の２つの縦部分のそれぞれには、各突起を中に挿入することのできる溝が設けられている。Ｈ字形状のロック要素の２つの縦部分の長さと、突起の長さは、ロック要素の溝が、留め具のロック状態において突起と係合しないような寸法を有し、これによって留め具が誤ってはずれることが防止される。
【００２３】
好ましくは、第１の留め要素の受入れ部分及び第２の留め要素の受入れ部分のそれぞれには溝が設けられており、この溝の断面は、宝飾品の固定部材の幅よりも小さい。ロック要素は、ばね力によってロック位置に付勢されていることが好ましい。
【００２４】
更に、本発明は、宝飾品、特に、チェーンであって、上記の説明に従って留め具によって留めることのできる固定部材を備えているチェーンに関する。
【００２５】
以下では、本発明による留め具の好ましい実施形態について、図面を参照しながら例示的に説明する。
【図面の簡単な説明】
【００２６】
【図１】本発明による、チェーンにおける留め具の第１の実施形態である。
【図２ａ】本発明による、２列チェーンにおける留め具の第２の実施形態の正面図である。
【図２ｂ】図２ａによる留め具の後面図である。
【図３ａ】本発明による、６列チェーンのための留め具の第３の実施形態の正面図である。
【図３ｂ】図３ａによる留め具の後面図である。
【図４ａ】本発明による、５列チェーンのための留め具の第４の実施形態の正面図である。
【図４ｂ】図４ａによる留め具の後面図である。
【図４ｃ】図４ａ及び図４ｂによる留め具のロック要素の概略図である。
【図５ａ】本発明による留め具において使用する固定部材の第１の実施形態の概略図である。
【図５ｂ】本発明による留め具において使用する固定部材の第２の実施形態の概略図である。
【図６】図４ａ〜図４ｃに示した留め具の、変更された実施形態である。
【図７ａ】図１に示した留め具の変更された実施形態の平面図である。
【図７ｂ】図７ａに示した留め具の正面図である。
【図８ａ】図１に示した留め具の更に変更された実施形態である。
【図８ｂ】図１に示した留め具の更に変更された実施形態である。
【図８ｃ】図１に示した留め具の更に変更された実施形態である。
【図８ｄ】図１に示した留め具の更に変更された実施形態である。
【図９ａ】本発明による留め具の第５の実施形態の正面図である。
【図９ｂ】図９ａに示した留め具の変更された実施形態である。
【図９ｃ】図９ａに示した留め具の変更された実施形態である。
【図９ｄ】図９ａに示した留め具の変更された実施形態である。
【図９ｅ】図９ａに示した留め具の変更された実施形態である。
【図９ｆ】図９ａに示した留め具の変更された実施形態である。
【図９ｇ】図９ａに示した留め具の変更された実施形態である。
【図９ｈ】図９ａに示した留め具の変更された実施形態である。
【図１０ａ】本発明による留め具の第６の実施形態の正面図である。
【図１０ｂ】図１０ａに示した留め具の変更された実施形態である。
【図１１ａ】本発明による留め具の第７の実施形態の正面図である。
【図１１ｂ】図１１ａに示した留め具の変更された実施形態である。
【発明を実施するための形態】
【００２７】
図１は、本発明による、宝飾品（例えば、チェーン４）の留め具２の第１の実施形態の概略図を示している。留め具２は、本質的に中空の第１の円筒状留め要素６を備えており、この要素６は、挿入開口１０を備えている螺旋状のスロット又は溝８を有する。溝８は、第２の留め要素１４の固定部材１２を受け入れるように構成されている。
【００２８】
図１に示した実施形態においては、第２の留め要素１４がチェーン４の各端部に設けられている。第２の留め要素１４の固定部材１２は、溝８の幅よりも大きい断面を備えている。この目的のため、第２の留め要素１４に、棒又はスティック１６における固定部材１２として、断面の大きい部分（例えば、球の形式）を設けることが好ましく、固定部材としての役割を果たす球１２を挿入開口１０を通じて第１の中空円筒状留め要素６の内部に導入することができ、スティック１６を螺旋溝８に沿って移動させることができる。この目的のため、スティック１６の厚さ又は直径は、溝８の幅よりも小さい寸法とされている。
【００２９】
図１に示した実施形態においては、第１の中空円筒状留め要素６は、両側の２つの端部部分のそれぞれに壁１８を更に備えており、この壁１８は、中空円筒状留め要素６を軸方向に終了させている、又は終端部となっており、第２の留め要素１４の固定部材１２のための止め面を形成している。溝８は、第１の留め要素６の中空円筒状領域から各端部部分の領域における壁１８に通じており、そこで終了している。この目的のため、中空円筒状領域の壁は、中空円筒状領域から外側に湾曲しているように、又は円錐状であるように構成されていることが有利であり、溝は、湾曲部又は円錐部のほぼ中央において終了しており、したがって、図１に示した直線形状においては、２つの固定部材１２が溝８に沿って移動し、両側の２つの壁１８のそれぞれによって形成されている止め面に当たった後、留め具２は、本質的にチェーン４を留め状態位置に維持する。
【００３０】
図１に示したように、挿入開口１０は、留め具２の軸方向長さの中央領域、特に、ほぼ真ん中に設けられていることが好ましい。螺旋溝８は、好ましくは、本質的に一定の傾斜角度と、第１の留め要素の長さに沿って全体として約１／４〜５巻き、より好ましくは約１／２〜３巻き、特に好ましくは約１〜２巻きを示す。挿入開口１０から各壁１８のそれぞれまでは、溝は、好ましくは約１／８〜２・１／２巻き、特に約１／４〜１・１／２巻き、特に好ましくは約１／２〜１巻きを示す。
【００３１】
宝飾品４をはずすためには、例えば、２つの第２の留め要素１４の一方をそのスティック１６によって溝８に沿って挿入開口１０まで移動させることができ、次に、固定部材１２を挿入開口１０から取り外すことができる。反対側の第２の固定部材は、第１の中空円筒状留め要素６に結合されているままとする、又は、上記の説明に従って同様に取り外すことができる。
【００３２】
図２ａ及び図２ｂには、本発明による留め具２の第２の実施形態が示してある。この実施形態においては、いくつかのチェーン４を１つの留め具２によって留めることができるように、いくつかの第１の中空円筒状留め要素６が、軸方向に本質的に互いに平行に配置されており、横方向に互いに結合されており、好ましくは、その長さ全体に沿って、又はその一部分に沿って、互いに結合されている。この実施形態は、特に、複数列のチェーンにおいて有利である。
【００３３】
図示した実施形態においては、２つの第１の中空円筒状留め要素６が設けられており、図２ａに示した正面図によると、溝８の端部部分のみを見ることができる。図２ｂの後面図に示したように、第１の中空円筒状留め要素６のそれぞれは、個別の挿入開口１０を備えており、溝８が、この挿入開口１０から第１の中空円筒状留め要素６の両端部まで延びている。第１の中空円筒状留め要素６のそれぞれにおいては、第１の螺旋溝８は、挿入開口１０を起点とし、第１の軸方向端部に向かう方向における第１のねじれ方向と、反対側である第２の軸方向端部に向かう方向における第２の逆のねじれ方向とを有するように構成されていることが好ましい。更に、挿入開口から第１の軸方向端部までの部分と、挿入開口から第２の軸方向端部までの部分とにおいて、２つの第１の留め要素６の溝８のねじれ方向が互いに逆であることも好ましい。これにより、固定部材１２を挿入して移動させ、各軸方向端部に当たったとき、留め具２は高い信頼性にてチェーン４を留めて、留め状態位置に維持する。２つの挿入開口１０は、両方で１つの開口を形成することも可能である。
【００３４】
この実施形態においては、第２の留め要素１４は、図１による上述した第１の実施形態の場合と同じように設計されていることが好ましい。
【００３５】
図３ａ及び図３ｂは、本発明による留め具２の第３の実施形態を示している。この実施形態の基本的な構造は、第２の実施形態の構造に本質的に対応しており、最も外側の２つの第１の留め要素６の間に、４つの更なる中空円筒状留め要素１８が追加的に設けられており、これらの中空円筒状留め要素１８のそれぞれは、第２の留め要素１４の固定部材１２を受け入れるための溝２０と挿入開口２２とを備えている。更なる中空円筒状留め要素１８の溝２０は、本質的に軸方向に延びていることが好ましい。更なる中空円筒状留め要素２０の挿入開口２２は、好ましくは、軸方向端部からある距離において設けられており、特に好ましくは、留め具２の軸方向長さの中央部分に、特に、ほぼ真ん中に設けられている。
【００３６】
更なる中空円筒状留め要素１８のそれぞれは、その端部部分のそれぞれにおいて壁を備えていることも好ましく、この壁は、更なる中空円筒状留め要素１８を軸方向に終了させている、又は終端部となっており、更なる留め要素１８の各中空円筒状領域の溝２０は、この壁に通じており、そこで終了している。更なる中空円筒状留め要素１８の端部部分に形成されている壁は、外側に湾曲している、又は円錐状であるように構成されていることが好ましく、溝２０は、湾曲部又は円錐部のほぼ中央において終了している。
【００３７】
最も外側の２つの第１の留め要素６の螺旋溝８は、好ましくは、第１の留め要素の長さに沿って挿入開口１０から軸方向端部まで、ねじれ方向で約１／４〜１巻き、好ましくは約１／２巻きしている。言い換えれば、溝８のそれぞれは、挿入開口１０を起点として、第１の留め要素６の周囲に沿って約１／４〜１巻き、特に、ほぼ１／２巻きしながら、第１の留め要素６の長さの約半分に沿って延びている。
【００３８】
第３の実施形態による留め具２は、複数列のチェーンのチェーン部分のそれぞれの第２の留め要素１４の固定部材１２が、対応する挿入開口１０と、挿入開口１０に結合されている溝８又は溝２０とに挿入され、軸方向端部まで押し込まれる、又は案内されることにおいて、図１及び図２に説明した実施形態に類似して使用される。チェーンは、特に、最も外側の２つの第１の留め要素６の螺旋溝８によって留め状態位置に維持されており、なぜなら、これらの螺旋溝８は逆方向に延びているように構成されており、したがって、固定要素が自然に軸方向端部から離れることができないためである。
【００３９】
図３ａ及び図３ｂによる図解においては、留め具２は、複数列のチェーン４の一方の端部に結合されているのみである。チェーン４の他方の端部には、第２の留め要素１４を同様に設けることができ、固定部材１２を各挿入開口１０，２２に挿入し、第２の留め部材１４を溝８，２０に沿って両側の軸方向端部の方に移動させることによって、上記の説明に従って留め操作を実行することができる。
【００４０】
チェーンの一方の端部における個々の第２の留め要素１４は、これらを挿入開口にまとめて挿入し、第１の留め要素６，１８の各軸方向端部の方にまとめて移動させることが可能であるように、ゆるく、又は弾性的に互いに結合することが可能である。
【００４１】
すべての実施形態において、第１の留め要素及び第２の留め要素は、個別の部材とする、又は、宝飾品（例えば、チェーン）の各端部に、着脱自在又は一体に結合することもできる。
【００４２】
図４ａ、図４ｂ、図４ｃは、本発明による留め具５２の第４の実施形態を示している。この実施形態による留め具５２は、本質的に互いに対称的である２つの留め要素５４，５６と、ロック要素５８とを備えている。２つの留め要素５４，５６のそれぞれは、宝飾品４の１つ又は複数の留め要素１４の１つ又は複数の固定部材１２を挿入するためと、ロック要素５８の各ロック部分６２を受け入れるための円筒部分６０を有する。受入れ部分６４は、２つの留め要素５４，５６のそれぞれにおける円筒部分６０に平行に設けられている。各円筒部分６０と受入れ部分６４との間に、接続開口又は接続溝が設けられており、固定部材１２を円筒部分６０に挿入した後、これらの開口又は溝を通じて固定部材１２を受入れ部分に通すことができる。宝飾品４の留め要素１４を受入れ部分６４の中で高い信頼性にて保持する目的で、受入れ部分６４は、アンダーカット溝を備えている、又は、溝を有する中空円筒状形態に構成されていることが好ましい。２つの留め要素５４，５６の円筒部分６０のそれぞれに縦溝６６が設けられていることが好ましく、この縦溝６６は、第１の端部を起点として、円周方向に延びている溝６８に通じており、最終的に、第１の端部に向かう方向における更なる縦溝７０に通じている。２つの円筒部分の第１の端部のそれぞれは開いており軸方向開口７６を形成しており、その一方で、反対側の端部は閉じていることが好ましい。
【００４３】
ロック要素５８は、本質的にＨ字形状であるように構成されていることが好ましく、「Ｈ」の２本のアーム又は縦部分が、２つの円筒部分６０に挿入することのできるロック部分６２を構成している。２つの縦部分は、横部分によって互いに連結されている。ロック要素５８は、円筒部分６０内に設けられている２つの圧力ばね７４によって印加されるばね力によって、ロック位置に付勢されていることが好ましい。
【００４４】
第４の実施形態によるチェーン４を留めるためには、最初に、留め要素１４の固定部材１２を、例えば、留め要素５６の円筒部分６０の一方の第１の端部における軸方向開口７６に順に導入し、接続開口（図示していない）を通じて、隣接する受入れ部分６４に押し込み、受入れ部分６４内で軸方向に一列に並べる。次いで、ロック要素５８の縦部分６２を軸方向開口７６に挿入し、この場合、横部分７２を溝６６に挿入し、溝６６の端部（円周方向に延びている溝６８の起点）に達するまで、圧力ばね７４のばね力に逆らって溝に沿って前方に移動させる。この時点において、円筒部分６０によって定義されている軸を中心にロック要素５８を回転させることによって、ロック要素５８の横部分７２が、円周方向に延びている溝６８の端部に達するまでこの円周溝６８に沿ってすべり、圧力ばね７４の力によって縦溝７０の中にその端部まで押し込まれる。この位置において、留め要素１４の固定部材１２は、チェーンの受入れ部分６４の中でロックされている。この位置は、図４ａ及び図４ｂに示してある。
【００４５】
チェーン４の反対側の端部は、固定部材１２を有する留め要素１４によって留め要素５４の受入れ部分６４の中に同じように挿入され、受入れ部分６４の中でロック要素５８によってロックされる。
【００４６】
宝飾品４をはずすためには、固定部材１２又は留め要素１４を受入れ部分６４から引き出す必要はない。そうではなく、２つの留め要素５４，５６を互いに離すため、ロック要素５８を溝７０，６８，６６に沿って反対方向に移動させることによって、ロック要素５８を取り外すことで十分である。
【００４７】
図５ａ及び図５ｂは、チェーン４の端部に設けられている留め要素１４の２つの実施形態を示している。図５ａによると、球状の固定部材１２がスティック又は連結棒１６によって中空要素の中に挿入され、スティック１６の端部にはアイレット７８が設けられている。例えば、チェーンの端部をこのアイレットに取り付けることができる。例えば、図５ａの図解によると、固定部材１２がスティック１６と一緒に中空要素１４に対して可動であるように、スティック１６を中空要素１４に柔軟に通すことができる。或いは、図５ｂによると、スティック１６を留め要素の中空要素１４に一体に結合することができる。
【００４８】
図６に示した留め具５２の実施形態は、図４ａ、図４ｂ、及び図４ｃに示した実施形態の変形例である。留め具５２は（図４ａ、図４ｂ、及び図４ｃに関連して説明した実施形態と同様に）、本質的に互いに対称的である２つの留め要素５４，５６（図６にはそのうちの一方のみを示してある）と、ロック要素５８とを備えている。２つの留め要素５４，５６の円筒部分６０のそれぞれには縦溝６６が設けられており、この縦溝６６は、円周方向に延びている溝６８に通じており、最終的に、第１の端部に向かう方向における更なる縦溝７０に通じている。２つの円筒部分の第１の端部のそれぞれは開いており軸方向開口７６を形成しており、その一方で、反対側の端部は閉じていることが好ましい。図４ａ、図４ｂ、及び図４ｃに示した実施形態との相違点として、円筒部分６０のそれぞれの第１の端部には、軸方向開口７６の領域に突起８０が設けられている。Ｈ字形状のロック要素５８の２つの縦部分又はロック部分６２のそれぞれは、突起８０を中に導入することのできる溝８２を備えている。溝８２と突起８０の位置をおよそ合わせることによって、ロック部分６２を円筒部分６０の中に導入することができ、Ｈ字形状のロック要素５８の横部分７２を、溝６６，６８，７０に通すことができる。Ｈ字形状のロック要素５８の２つの縦部分６２の長さと、２つの突起８０の長さは、留め具５２のロック状態において、ロック要素５８の溝８２が突起と係合しないような寸法を有し、これによって、留め具５２が誤ってはずれることが防止される。
【００４９】
図７ａ及び図７ｂは、図１による留め具２の変更された実施形態を示している。この留め具は（図１による実施形態と同様に）、挿入開口１０を備えている螺旋溝８を有する、本質的に中空の第１の円筒状留め要素６を備えている。溝８は、第２の留め要素（図７には示していない）の固定部材１２を受け入れるように構成されている。図７ａ及び図７ｂに示した実施形態による留め具２は、特に、第１の留め要素６がその縦軸に対して、湾曲した状態、若しくは、角度の付いた状態、又はその両方の状態として構成されている（図７ｂによる正面図に示してある）ことにおいて、図１に示した留め具とは異なる。これにより、第１の留め要素６の中での第２の留め要素の固定部材１２の保持性を向上させることができる。
【００５０】
挿入開口１０は、湾曲部又は角度部の内側、特に、湾曲部又は角度部の頂点の領域に設けられていることが好ましい。この形状によって、第２の留め要素の固定部材１２は、挿入開口１０から離れた状態に意図的に維持される。
【００５１】
図７ｂに示したように、この実施形態においては、更なる宝飾品要素（例えば、リング７８）を、湾曲部又は角度部の領域において第１の留め要素６に有利に取り付けることができ、このリングは、宝飾品が着用されているときに開口１０を更に覆い、したがって開口１０をロックすることができる。
【００５２】
図８ａ〜図８ｄには、図１に示した留め具の更に変更された実施形態を概略的に示してある。図８ａによると、第１の留め要素の断面は、中空円筒状形の代わりにほぼ楕円形を示すこともできる。図８ｂにおいては、第１の留め要素は、本質的に中空円筒状であるように構成されているが、図１に示した実施形態と比較して、軸線が９０゜だけ回転しており、したがって、宝飾品の２つの端部を円筒の側面に取り付けることができる。図８ｃに示した変形例においては、第１の留め要素及び第２の留め要素が非対称に構成されており、極めて任意の形状を示している。図８ｄに示した実施形態によると、第１の留め要素を、例えば、立方体形状に構成することができる。図示した修正形態においては、第１の留め要素が形成されるように２つの立方体が互いに隣接して設けられている。
【００５３】
図を明瞭にするため、図８ａ〜図８ｄによる実施形態には、溝８を示していない。しかしながら、前の実施形態と同様に、第１の中空留め要素６の周囲に沿って少なくとも部分的に、例えば螺旋状に、又は任意の他の経路に沿って、溝を延在させることができる。このことは、図９ａ〜図９ｈ、図１０ａ、図１０ｂ、図１１ａ、及び図１１ｂに関連して説明する以下の実施形態についても同様である。
【００５４】
図９ａ〜図９ｈは、本発明の留め具の第５の実施形態の様々な変形例を示している。この実施形態によると、第１の中空留め要素６は、本質的に球状に構成されている。２つの球又は複数の球による第１の留め要素６を形成する目的で、少なくとも２つの球を縦方向に互いに隣接して配置することが好ましい。図９ａにおいては、２つの球による第１の留め要素６が、一方又は両方の端部部分において第２の留め要素の固定部材（図示していない）を受け入れる。この目的のため、図１に関連して説明したように、固定要素を溝の中に挿入し、両側の端部部分まで移動させる。
【００５５】
図９ｂ〜図９ｃに示した実施形態は、複数列の宝飾品用に設計されている。これらの実施形態においては、２つの球又は複数の球による第１の留め要素６の端部部分において、溝が２本、３本、又はそれ以上の経路に分岐しており、複数列の宝飾品の各列の１つの固定部材がこれらの経路のそれぞれに受け入れられる。
【００５６】
図９ｄ〜図９ｈも、複数列の宝飾品の留め具を示しており、これらの実施形態においては、複数の球による１つの第１の留め要素６（個々の球が縦方向に互いに隣接して配置されている）が設けられているのみならず、第１の留め要素６が横方向にも互いに隣接して配置されている。この場合も、複数の球による第１の留め要素には、図９ｄに示したような分岐した溝を設けることができ、或いは、複数の球による第１の留め要素は、分岐していない溝を有する。溝は、中央の球ではなく端の球のみに延びていることが好ましい。
【００５７】
球による第１の留め要素において固定部材１２を良好に保持する目的で、図９ａ〜図９ｅに示したように、第２の留め要素の固定部材を迷路に似た方式で導入することのできる小さな球状収容部８４を、端部部分における壁に設けることが好ましい。
【００５８】
図１０ａ及び図１０ｂは、本発明による留め具の第６の実施形態を示している。この実施形態においては、第１の中空留め要素自体が螺旋状に構成されている。この螺旋は、図１０ａに示したように、長さ全体にわたり単一方向に延びている、又は、図１０ｂに示したように、例えば、ほぼ真ん中においてねじれ方向が変化していることができる。この実施形態においては、溝（図示していない）は、本質的に、第１の中空留め要素の長さ全体に沿って、第１の中空留め要素に平行に延びている。
【００５９】
図１１ａ及び図１１ｂには、本発明による留め具の第７の実施形態を概略的に示してある。この実施形態においては、湾曲している、若しくは、角度の付いている、又はその両方である２つの管状要素８６が、互いにしっかりと結合されている。２つの管状要素は、両方において第１の中空留め要素を形成している。各管状要素には、第２の留め部材の固定部材を受け入れるための、自身の溝（図示していない）が設けられている。図１１ａ及び図１１ｂに示したように、２つの管状要素８６は、本質的に同一又は対称的であるように設計する、若しくは、鏡面対称（ｍｉｒｒｏｒ−ｉｎｖｅｒｔｅｄ）であるように配置する、又はその両方とすることができる。
【００６０】
すべての実施形態において、溝は、第１の留め要素の周囲の少なくとも一部に沿って延びている。溝は、例えば、螺旋状に延びていることができるが、一部が縦方向に延びており一部が円周方向に延びていることもできる。
【００６１】
第２の留め要素を第１の留め要素に対して固定する目的で、第１の中空留め要素の内側、一方又は両方の端部部分に、第２の留め要素の固定部材を通すことのできる迷路手段を設けることが好ましいことがある。この迷路手段は、例えば、開口を有する中空球の形態として、溝の領域における端部部分において中空である第１の留め要素の内壁に配置されているように設計することができ、開口は溝から離れて面すると共に、溝は中空である第１の留め部材の壁と中空球の壁の両方を貫いて延びている。この設計においては、第２の留め要素の固定部材を、最初に入口開口を通じて溝の中に導入し、次に、内側の中空球の外側の周囲を通した後、内側の中空球に設けられている開口を通じて導入しなければならない。開口は、迷路手段によって、固定部材が簡単にはずれる可能性が極めて低いように配置されている。好ましくは、第１の中空留め要素の内壁上、内側の中空球の開口の反対側に、保持突出部が設けられていることが好ましく、この保持突出部は、第２の留め要素の固定部材がはずれにくくなることに寄与する。
【００６２】
或いは、第２の留め要素の固定部材を、第１の中空留め要素の中に設けられている迷路板（ｌａｂｙｒｉｎｔｈ  ｐｌａｔｅ）によってロックすることも可能である。この迷路板は、溝の中を固定部材が自由に移動することを防止するように、第１の留め要素の中空部の中に配置されていることが好ましい。このことは、例えば、固定部材が迷路板の周囲を通らなければならないように、迷路板が第１の留め要素の中空部の相当な部分をふさぐことにおいて達成することができる。或いは、迷路板が中空部をほぼ完全にふさぎ、円形以外の断面の固定部材のための通路が残されているのみであるようにすることができる。
【００６３】
本発明による留め具は、宝飾品の一般的なあらゆる材料、例えば、金属（銀、金、白金、及びこれらの合金、ステンレス鋼など）、或いはプラスチックから作製することができる。
【符号の説明】
【００６４】
２…留め具、４…チェーン、６…第１の留め要素、８…溝、１０…挿入開口、１２…固定部材、１４…第２の留め要素、１６…スティック、１８…壁、１８…更なる中空円筒状留め要素、２０…溝、２２…挿入開口、５２…留め具、５４，５６…留め要素、５８…ロック要素、６０…円筒部分、６２…ロック部分、６４…受入れ部分、６６，６８，７０…溝、７２…横部分、７４…圧力ばね、７６…軸方向開口、７８…アイレット、７８…リング、８０…突起、８２…溝、８４…球状収容部、８６…管状要素
【図１】
2010517649.tif 000002
【図２ａ】
2010517649.tif 000003
【図２ｂ】
2010517649.tif 000004
【図３ａ−３ｂ】
2010517649.tif 000005
【図４ａ】
2010517649.tif 000006
【図４ｂ】
2010517649.tif 000007
【図４ｃ】
2010517649.tif 000008
【図５ａ】
2010517649.tif 000009
【図５ｂ】
2010517649.tif 000010
【図６】
2010517649.tif 000011
【図７ａ】
2010517649.tif 000012
【図７ｂ】
2010517649.tif 000013
【図８ａ】
2010517649.tif 000014
【図８ｂ】
2010517649.tif 000015
【図８ｃ】
2010517649.tif 000016
【図８ｄ】
2010517649.tif 000017
【図９ａ】
2010517649.tif 000018
【図９ｂ】
2010517649.tif 000019
【図９ｃ】
2010517649.tif 000020
【図９ｄ】
2010517649.tif 000021
【図９ｅ】
2010517649.tif 000022
【図９ｆ】
2010517649.tif 000023
【図９ｇ】
2010517649.tif 000024
【図９ｈ】
2010517649.tif 000025
【図１０ａ】
2010517649.tif 000026
【図１０ｂ】
2010517649.tif 000027
【図１１ａ】
2010517649.tif 000028
【図１１ｂ】
2010517649.tif 000029
【国際調査報告】
2010517649.tif 000030
2010517649.tif 000031
2010517649.tif 000032
2010517649.tif 000033
2010517649.tif 000034
2010517649.tif 000035
2010517649.tif 000036
2010517649.tif 000037
2010517649.tif 000038